(57)【要約】【課題】停電が発生した場合に、暗闇の状態で、操作しなければならない操作部の操作を確実にかつ正確におこなうことで、停電が復旧した際に機器に生じる障害などを確実に防止すること。【解決手段】電源スイッチ１０１の近傍に設けられる、シート形状をなす基材を備えた操作表示部材１０３ａ〜１０３ｂであって、基材の表面の全部または一部が蓄光部材によって構成され、停電時における電源スイッチ１０１の必要な操作に関する操作指示情報（『停電時ＯＦＦ』が、基材に記される。したがって、通常時（照明あり）では、操作指示情報にかかる文字などは目立たないが、停電時（暗闇）では、蓄光部材が発光することによって、その文字が浮かび上がって、操作者に必要な指示を示すことができる。【選択図】図１
2020136007.tif 000002
【特許請求の範囲】
【請求項１】
操作部自体または当該操作部の近傍に設けられる、シート形状をなす基材を備えた操作表示部材であって、
前記基材の表面の全部または一部が蓄光部材によって構成され、
停電時における前記操作部の必要な操作に関する操作指示情報が、前記基材に記されることを特徴とする操作表示部材。
【請求項２】
文字、数字、記号および図形の少なくともいずれか一つによって前記操作指示情報を形成することを特徴とする請求項１に記載の操作表示部材。
【請求項３】
前記操作部は、スイッチであり、前記操作指示情報は、前記スイッチのオン操作またはオフ操作の指示に関する情報であることを特徴とする請求項１または２に記載の操作表示部材。
【請求項４】
前記操作部は、バルブ開閉器であり、前記操作指示情報は、前記バルブ開閉器の開操作または閉操作の指示に関する情報であることを特徴とする請求項１または２に記載の操作表示部材。
【請求項５】
前記操作指示情報は、操作の順序がある場合に、当該順序に関する指示情報を含むことを特徴とする請求項３または４に記載の操作表示部材。
【請求項６】
前記操作部のうち一番最初に操作させる操作部に対応する前記基材を、他の操作部に対応する前記基材と区別可能に発光させることを特徴とする請求項５に記載の操作表示部材。
【請求項７】
前記操作指示情報は、つぎの操作部の位置を示す情報を含むことを特徴とする請求項５または６に記載の操作表示部材。
【請求項８】
前記操作指示情報は、停電時における操作が必要な前記操作部の数に関する指示情報であることを特徴とする請求項１〜７のいずれか一つに記載の操作表示部材。
【発明の詳細な説明】
【技術分野】
【０００１】
この発明は、停電における操作の内容を表示する操作表示部材に関する。
【背景技術】
【０００２】
従来、スイッチ付近に蓄光テープを貼ったり、スイッチ自体あるいはスイッチパネルを蓄光部材とすることによって、照明がついていなくても、蓄光部材がほのかに発光することによって、スイッチの所在位置が容易にわかるという技術があった。また、蓄光部材に模様を付けることによって、スイッチの位置がわかるというだけでなく、暗闇に浮かび上がる模様を楽しむことができるものがあった。
【０００３】
関連する技術として、具体的には、スイッチパネルを蓄光材で形成することにより、外部からの光源がある時にエネルギーを蓄え、外部の光源が消えた際、蓄えていたエネルギーを可視光に変換されるのを利用して、スイッチパネルの外側へ発光させて視覚による認識を容易におこなえるようにし、消灯をされた外部からの光源が無い部屋において、スイッチを認識するスイッチパネルに関する技術がある（たとえば、下記特許文献１を参照。）。
【０００４】
関連する技術として、具体的には、蓄光材料を混入した印刷用インクによってハンドルの把持部分に文字や記号等によるバルブの機種やメーカー等の表示部を施すので、配管されたバルブの種類等の詳細な情報が得られ、緊急災害時や夜間の停電などの暗闇でのバルブ操作がより一層容易になり、数多くの設備配管の緊急対応を素早く行うことができるバルブのハンドルに関する技術がある（たとえば、下記特許文献２を参照。）。
【０００５】
関連する技術として、具体的には、既設、既存のガス栓、照明スイッチパネルに装着することができる蓄光性成形品であって、暗い時に容易に視認ができることにより、夜間暗闇や万一、火災、地震などの災害発生によって停電した場合に本発明の蓄光性成形品の残光によりパニックに陥ることなく、ガス栓の位置を確認でき当該栓を閉じることができる蓄光性成形品に関する技術がある（たとえば、下記特許文献３を参照。）。
【先行技術文献】
【特許文献】
【０００６】
【特許文献１】特開平１０−２４１４８４号公報
【特許文献２】特開２００３−０１４１５６号公報
【特許文献３】特開２００７−２４６８５９号公報
【発明の概要】
【発明が解決しようとする課題】
【０００７】
しかしながら、これらの技術は、暗所において蓄光部材が発光することによって、スイッチの位置を知らせるものであって、暗所において、スイッチを見つけ出し、スイッチを入れることによって、室内を明るくすることを目的とするものであって、停電などの緊急時に対応するものではなかった。また、先行技術においても、緊急時に必要な操作の案内表示をするものは存在しない。
【０００８】
具体的には、機器などの種類によっては、通常時にスイッチをオンにしていた状態で、そのスイッチをオフにすることなく、突然に停電になった場合、そのスイッチをオフに戻さずに、オンのまま放置すると、停電が復旧した場合に、急に電流が流れて、機器などに障害が発生する場合がある。このような場合に、停電時に突然に暗闇になり、懐中電灯などを用いて必要な操作をしなければならない。特に、発送電システム（発電・送電・変電・配電を併せた電力の供給システム）の全系崩壊となる、いわゆる「ブラックアウト」が発生した場合は、復旧にも時間がかかり、被害が拡大する虞れがある。
【０００９】
ところが、懐中電灯の明かりだけでは、どのスイッチをオフにすればよいのか、複数のスイッチがある場合にどの順番でオフにすればよいのか、それを理解するためにマニュアルを参照して作業をおこなうのに手間がかかる、あるいは、暗がりのためマニュアル自体を探せないという問題点がある。また、懐中電灯が見つからない、あるいは、電池切れや故障などの場合に問題となる。
【００１０】
また、たとえ、明かりがあったとしても、突然の停電の際に、機器などの操作部に関する知識がある担当者（専門家）が当該居室にいるとは限らず、当該担当者と連絡も取れない場合には、確実かつ正確な対応をすることができないという問題がある。
【００１１】
また、スイッチ操作以外にも、プラント設備であれば液体・気体などの流れを操作するバルブなども緊急操作が必要となり、同様の問題点が発生する虞れがある。
【００１２】
この発明は、上述した従来技術による問題点を解消するため、停電が発生した場合に、暗闇の状態で、操作しなければならない操作部の操作を確実にかつ正確におこなうことで、停電が復旧した際に機器に生じる障害などを確実に防止することを目的とする。
【課題を解決するための手段】
【００１３】
上述した課題を解決し、目的を達成するため、この発明にかかる操作表示部材は、操作部自体または当該操作部の近傍に設けられる、シート形状をなす基材を備えた操作表示部材であって、前記基材の表面の全部または一部が蓄光部材によって構成され、停電時における前記操作部の必要な操作に関する操作指示情報が、前記基材に記されることを特徴とする。
【００１４】
また、この発明にかかる操作表示部材は、上記の発明において、文字、数字、記号および図形の少なくともいずれか一つによって前記操作指示情報を形成することを特徴とする。
【００１５】
また、この発明にかかる操作表示部材は、上記の発明において、前記操作部は、スイッチであり、前記操作指示情報は、前記スイッチのオン操作またはオフ操作の指示に関する情報であることを特徴とする。
【００１６】
また、この発明にかかる操作表示部材は、上記の発明において、前記操作部は、バルブ開閉器であり、前記操作指示情報は、前記バルブ開閉器の開操作または閉操作の指示に関する情報であることを特徴とする。
【００１７】
また、この発明にかかる操作表示部材は、上記の発明において、前記操作指示情報は、操作の順序がある場合に、当該順序に関する指示情報を含むことを特徴とする。
【００１８】
また、この発明にかかる操作表示部材は、上記の発明において、前記操作部のうち一番最初に操作させる操作部に対応する前記基材を、他の操作部に対応する前記基材と区別可能に発光させることを特徴とする。
【００１９】
また、この発明にかかる操作表示部材は、上記の発明において、前記操作指示情報は、つぎの操作部の位置を示す情報を含むことを特徴とする。
【００２０】
また、この発明にかかる操作表示部材は、上記の発明において、前記操作指示情報は、停電時における操作が必要な前記操作部の数に関する指示情報であることを特徴とする。
【発明の効果】
【００２１】
この発明にかかる操作表示部材によれば、停電が発生した場合に、暗闇の状態で、操作しなければならない操作部の操作を確実にかつ正確におこなうことで、停電が復旧した際に機器に生じる障害などを確実に防止することができる。
【図面の簡単な説明】
【００２２】
【図１】この発明にかかる実施の形態の操作表示部材の設置の一例を示す説明図である。
【図２】この発明にかかる実施の形態の操作表示部材の設置の別の一例を示す説明図である。
【図３】この発明にかかる実施の形態の操作表示部材の構成の一例を示す説明図である。
【図４】この発明にかかる実施の形態の操作表示部材の構成の別の一例を示す説明図である。
【図５Ａ】この発明にかかる実施の形態の操作表示部材の具体例を示す説明図（その１）である。
【図５Ｂ】この発明にかかる実施の形態の操作表示部材の具体例を示す説明図（その２）である。
【図５Ｃ】この発明にかかる実施の形態の操作表示部材の具体例を示す説明図（その３）である。
【図６】この発明にかかる実施の形態の操作表示部材の別の具体例を示す説明図である。
【発明を実施するための形態】
【００２３】
以下に添付図面を参照して、この発明にかかる操作表示部材の好適な実施の形態を詳細に説明する。
【００２４】
（操作表示部材の概要）
まず、この発明にかかる実施の形態の操作表示部材の概要について説明する。図１は、この発明にかかる実施の形態の操作表示部材の設置の一例を示す説明図である。図１において、左側は「通常時」、すなわち、日中あるいは夜間であって居室内には照明がある状態を示している。一方、右側は「停電時」、すなわち、夜間あるいは居室に窓などがなく、居室内が暗闇となっている状態を示している。
【００２５】
居室の壁などに設けられている電源スイッチパネル１００には、上側の電源スイッチ１０１と下側の電源スイッチ１０２の２つのスイッチが設けられている。これらの電源スイッチ１０１、１０２は、操作部であるスイッチの一例である。上側の電源スイッチ１０１の近傍、より具体的には、上側および左右側の近くには、それぞれ操作表示部材１０３（１０３ａ、１０３ｂ、１０３ｃ）が設けられている。
【００２６】
電源スイッチ１０１の上側の操作表示部材１０３ａには、停電時における電源スイッチ１０１について必要な操作に関する操作指示情報の一例である『停電時ＯＦＦ  １／５』が記載されており、また、電源スイッチ１０１の左側の操作表示部材１０３ｂには、同様に操作指示情報の一例である『ＯＦＦ』が記載されており、電源スイッチ１０１の右側の操作表示部材１０３ｃには、同様に操作指示情報の一例である『ＯＮ』が記載されている。
【００２７】
この操作表示部材１０３ａ〜１０３ｃは、たとえば、シート形状をなす基材を備えており、基材の表面の全部または一部が蓄光部材によって構成されている。操作表示部材１０３ａ〜１０３ｃの構成に関する詳細な説明は後述する。
【００２８】
「通常時」、すなわち、居室内に照明がある状態、あるいは、日中であって、窓などから日光が射す状態では、操作表示部材１０３ａ〜１０３ｃに記載された文字などは、視認しづらいあるいは目立たないように記載されている。したがって、「通常時」に電源スイッチ１０１を操作する際には、操作者はそれらの記載は気にはならない。また、「通常時」の間に、操作表示部材１０３ａ〜１０３ｃの基材を構成する蓄光部材が光を吸収している。
【００２９】
一方、「停電時」、すなわち、夜間であって居室内において照明が点灯されず、暗闇の状態では、蓄光部材が発光することによって、操作表示部材１０３ａ〜１０３ｃに記載された文字などが暗闇に浮かび上がる。したがって、突然の停電によって、居室内が一瞬にして暗闇になったとしても、操作者は、操作表示部材１０３ａ〜１０３ｃの文字などを、一定時間、視認することができ、暗闇の状態においても、電源スイッチ１０１の位置を容易に把握し、その位置にたどり着くことができる。
【００３０】
その際、居室内の操作者は、操作表示部材１０３ａ〜１０３ｃによる発光を頼りに、電源スイッチ１０１の位置を特定し、操作表示部材１０３ａの指示にしたがって、電源スイッチ１０１がオンになっていた場合に、その電源スイッチ１０１をオフにする。すなわち、電源スイッチ１０１の左側を押下し、電源スイッチ１０１がオフに切り替わったことを確認する。この操作は、電源スイッチ１０１の左側に操作表示部材１０３ｂの『ＯＦＦ』の文字を確認でき、また、電源スイッチ１０１の右側に操作表示部材１０３ｃの『ＯＮ』の文字を確認できることから、どちらがオンでどちらがオフかを迷うことなく、確実にかつ正確に電源スイッチ１０１をオフにする（電源スイッチ１０１の左側を押下する）ことができる。
【００３１】
このように、照明時には、操作表示部材１０３は、できるだけ目立たないようにし、停電時（暗闇になって）に初めてわかるようにして、あくまで、緊急時の必要操作であり、通常時の操作とは異なるように区別するとよい。
【００３２】
また、図１に示すように、電源スイッチ１０１の下側に設けられている電源スイッチ１０２は、操作表示部材が設けられていないことから、停電時に操作する必要がない（オンのままでもオフのままでも構わない）。このように、停電時に操作する必要がある操作部（電源スイッチ１０１）と必要がない操作部（電源スイッチ１０２）とが明確にわかるので、操作者は、複数の操作部があったとしても、操作時にどの操作部を操作すべきか迷うことがない。
【００３３】
また、操作表示部材１０３ａには、『１／５』という記載がある。これは、停電時にオフにする必要がある電源スイッチが、電源スイッチ１０１を含めて、全部で５つあり、当該電源スイッチ１０１がその５つのうちの一つであることを示している。これを見ることによって、操作者は、この電源スイッチ１０１をオフにした後に、他の操作表示部材による発光を頼りにその周辺を探索し、残りの４つの電源スイッチを見つけ出すことができる。
【００３４】
このように、操作表示部材１０３ａに、操作指示情報の一つとして、停電時における操作が必要な操作部の数に関する指示情報を含めることができるので、操作者は、停電時に操作が必要なスイッチの総数を瞬時に把握することができる。したがって、操作者は、停電時に、慌てることなく、確実にかつ正確に操作部の操作をすることができる。
【００３５】
図２は、この発明にかかる実施の形態の操作表示部材の設置の別の一例を示す説明図である。図２において、図１と同様に、左側は「通常時」、すなわち居室内には照明がある状態を示している。一方、右側は「停電時」、すなわち居室内が暗闇となっている状態を示している。
【００３６】
符号２００は、図示を省略する各種バルブの開閉操作をおこなうバルブ開閉器の一例であるバルブ開閉ハンドルである。そして、バルブ開閉ハンドル２００の円周状の把持部分に、操作表示部材２０１（２０１ａ、２０１ｂ）が設けられている。
【００３７】
操作表示部材２０１ａ、２０１ｂには、ともに『→停電時バルブ「閉」→』と表示している。記号の一例である矢印『→』は、バルブ開閉ハンドル２００を回動させる方向を示している。すなわち、バルブ開閉ハンドル２００を時計回りに回動することによって、バルブを閉じることができるということを、操作者に直感的に把握させることができる。これにより、操作者は、バルブを閉じるには、バルブ開閉ハンドル２００をどちらの方向へ回動させればよいか迷うことなく、暗闇時（図２における右側の状態）においても、バルブ開閉ハンドル２００を時計回りに回動させて、確実にバルブを閉じる操作をおこなうことができる。
【００３８】
図２においては、操作表示部材２０１ａと２０１ｂとで、同じ表記（『→停電時バルブ「閉」→』）としている。これは、バルブ開閉ハンドル２００が円形のため、ハンドルの回動角度によっては文字などが逆さあるいは横向きになっていたとしても、それらの文字などを読みやすくするためである。したがって、操作表示部材２０１ａと２０１ｂの２つに限らず、操作表示部材の数が３つ以上であってもよい。その数は、バブル開閉ハンドルの大きさなどによって決めるとよい。
【００３９】
また、一つのバブル開閉ハンドルにおいて複数の操作表示部材を設ける場合は、それぞれ別々の表記であってもよい。たとえば、図２に示すように、バブル開閉ハンドル２００において、文字などによる操作表示部材『→停電時バルブ「閉」→』は、２つ（２０１ａ、２０１ｂ）だけ設けて、残りは、矢印『→』だけの操作表示部材２０１ｃ、２０１ｄを複数、所定の間隔で設けるようにしてもよい。
【００４０】
このように、バルブ開閉ハンドル２００の円周状の把持部分に連続的にあるいは所定の間隔毎に操作表示部材２０１を設けることによって、突然の停電が発生して、居室内が一瞬にして暗闇になったとしても、操作表示部材２０１の文字などとともに、バルブ開閉ハンドル２００の円周状の把持部分の全体または一部が暗闇に浮かび上がることになる。したがって、暗闇の状態においても、操作者は、バルブ開閉ハンドル２００（の円周状の把持部分）の位置を把握することができ、その位置に容易にたどり着くことができる。
【００４１】
そして、操作表示部材２０１の指示にしたがって、バルブ開閉ハンドル２００を時計回りに回動させて、確実にバルブを閉じる操作をおこなうことができる。これは、補助電源や自家発電による電源の供給がなかったとしても、確実な操作をおこなうことができ、停電が復旧した後に、機器などの障害が発生するのを適切に防止することができる。
【００４２】
（操作表示部材の構成）
つぎに、この発明にかかる実施の形態の操作表示部材の構成について説明する。図３および図４は、この発明にかかる実施の形態の操作表示部材の構成の一例を示す説明図である。図３、図４において、この発明にかかる実施の形態の操作表示部材３００、４００は、シート形状をなす基材３０１、４０１を備えている。
【００４３】
基材３０１、４０１には、停電時における操作部（電源スイッチ１０１、開閉バルブハンドル２００など）の必要な操作に関する操作指示情報が記されている。そして、具体的には、たとえば、文字、数字、記号および図形の少なくともいずれか一つによって操作指示情報を形成することができる。したがって、操作指示情報として、文字、数字、記号または図形のいずれかを単独で用いてもよく、また、文字、数字、記号または図形のいずれか２つ以上を組み合わせて用いてもよい。
【００４４】
文字とは、日本語の文字（ひらがな、カタカナ、漢字）、アルファベット、あるいは、他の言語の文字であってもよい。特に、電源スイッチ１０１などの場合は、『入／切』、『オン／オフ』、『ＯＮ／ＯＦＦ』などのいずれであってもよい。また、開閉バルブハンドル２００などの場合は、『開／閉』、『ひらく／とじる』、『ＯＰＥＮ／ＳＨＵＴ』などであってもよい。
【００４５】
数字は、ローマ数字のほか、アラビア数字などの他の言語の数字であってもよい。記号は、所定の方向を示す矢印や「○」、「×」など、文字や数字などの代用あるいは補助的役割を果たすものである。
【００４６】
図形とは、具体的には、たとえば、操作部のほか、消化器・消火栓・非常灯・非常電話・非常ボタンなどが設置されていることを示すピクトグラム（Ｐｉｃｔｏｇｒａｍ）によって実現することができる。ピクトグラムは、何らかの情報や注意を示すために表示される視覚記号（サイン）の一つであり、たとえば「絵文字」、「絵単語」、ピクトグラフ（Ｐｉｃｔｏｇｒａｐｈ）などと称される場合もある。
【００４７】
ピクトグラムを用いることにより、あらわしたい概念を単純な図形によって表現することができる。また、ピクトグラムを用いることにより、あらわしたい概念を、文字を用いて文章で表現する代わりに、視覚的な図で表現することができ、言語に制約されずにあらわしたい概念を直感的に伝達することができる。
【００４８】
操作指示情報は、たとえば、国際標準化機構（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ、略称：ＩＳＯ）によって国際的に標準化されているピクトグラムを用いることができる。また、操作指示情報は、国際標準化機構によって国際的に標準化されているピクトグラムに限るものではなく、たとえば、主に日本国内で使用されているピクトグラムや、特定の施設内において限定的に使用されているピクトグラムを用いてもよい。
【００４９】
いずれにせよ、操作指示情報は、暗闇で発光させた際に、視認しやすく、内容が把握しやすい文字、数字、記号または図形の組み合わせであればよい。特に、『開』、『閉』など、形状が紛らわしい場合には、別の情報も合わせて記するようにしたり、表示のサイズや形状を変化させるなどの工夫をするようにするとよい。
【００５０】
基材３０１、４０１は、たとえば、上質紙、コート紙、アート紙などの紙製とすることができる。また、基材３０１、４０１は、たとえば、塩化ビニル樹脂（ｐｏｌｙｖｉｎｙｌ  ｃｈｌｏｒｉｄｅ、ＰＶＣ）、アクリル、ＰＥＴ（Ｐｏｌｙｅｔｈｙｌｅｎｅ  Ｔｅｒｅｐｈｔｈａｌａｔｅ）などの樹脂製であってもよい。このような、材質を用いることによって、基材３０１、４０１は、容易に破損したり、劣化しないようにすることができる。
【００５１】
また、基材３０１、４０１の裏面には、粘着部材を有しており、設置位置に貼り付けることで、固定することができる。粘着部材として、より具体的には、たとえば、両面テープや接着剤などを用いることができる。貼り付け方法は、両面テープや接着剤には限定されない。また、基材３０１、４０１の固定方法は、固定位置に応じて、貼り付ける方法以外に、ネジ止めなど他の方法を用いるようにしてもよい。
【００５２】
基材３０１、４０１の表面の全部または一部が、蓄光材料を用いた蓄光部材によって構成される。蓄光材料は、電磁波、熱、摩擦などによるエネルギーを受け取って励起され、その受け取ったエネルギーを特定波長の光として放出する発光現象であるルミネセンス（ｌｕｍｉｎｅｓｃｅｎｃｅ）を生じる蛍光材料のうち、特に、照射された外光をためて発光（燐光）する性状を示す蓄光顔料を含んだ材料である。具体的には、蓄光材料は、たとえば硫化亜鉛（ＺｎＳ系）やアルミン酸ストロンチウム（ＳｒＡｌ２Ｏ４系）の材料を用いることができる。
【００５３】
図３においては、基材３０１は、文字（『停電時ＯＦＦ』）を構成している領域３０２（斜線部分）のみが蓄光部材で構成され、それ以外の、文字を構成していない領域３０３は、蓄光部材で構成されていない。基材３０１をこのように構成することによって、文字（『停電時ＯＦＦ』）の部分だけが発光し、それ以外の領域は発光しないので、暗闇においても、『停電時ＯＦＦ』の文字が読み取れることになる。
【００５４】
また、図４においては、基材４０１は、文字（『停電時ＯＦＦ』）を構成している領域４０３以外の領域（斜線部分）４０２のみが蓄光部材で構成され、文字を構成している領域４０３は、蓄光部材で構成されていない。基材４０１をこのように構成することによって、文字（『停電時ＯＦＦ』）の部分以外の領域４０２だけが発光し、文字を構成している領域４０３の部分は発光しないので、基材４０１も、図３の基材３０１と同様に、暗闇において、『停電時ＯＦＦ』の文字が読み取れることになる。
【００５５】
図５Ａ〜図５Ｃは、この発明にかかる実施の形態の操作表示部材の具体例を示す説明図（その１）であり、これらの３つの図面は、一連の操作表示部材を示している。すなわち、図５Ａに示す操作表示部材５０１と、図５Ｂに示す操作表示部材５０２と、図５Ｃに示す操作表示部材５０３とは、３つで１セットである。
【００５６】
これらは、具体的には、たとえば、停電時にオフしなければならない電源スイッチが３つある場合に用いられる操作表示部材である。しかも、オフにする電源スイッチの順序が決められており、所定の順序でオフすることで、停電からの復旧時に機器などの障害を回避できる場合である。
【００５７】
図５Ａにおいて、操作表示部材５０１には、操作指示情報として『停電時１番目にＯＦＦ  あと２つ  ２番目→（５ｍ）』と記されている。これにより、操作表示部材５０１の近傍にある電源スイッチを一番最初にＯＦＦにすることを示している。したがって、この電源スイッチよりも先にほかの電源スイッチをＯＦＦしないように、操作者に対して注意を喚起している。
【００５８】
また、操作表示部材５０１には、操作指示情報として『・・・あと２つ・・・』と記されていることから、操作者は、操作表示部材５０１にしたがって最初の電源スイッチをオフした時点で、残り２つの電源スイッチを探して、それらの電源スイッチをオフしなければならないことを把握することができる。
【００５９】
さらに、操作表示部材５０１には、操作指示情報として『・・・２番目→（５ｍ）』と記されていることから、操作者は、つぎに操作すべき２番目の電源スイッチは、最初の電源スイッチよりも水平方向に沿って、向かって右方向にあるということを、容易に把握することができる。さらに、５ｍ離れた地点にあるということも同時に把握することができる。操作者は、この操作指示情報を基に、暗闇の中を、向かって右方向へ５ｍ程度移動することで、図５Ｂに示した操作表示部材５０２をより確実に発見することができるようになる。
【００６０】
図５Ｂにおいて、操作表示部材５０２には、操作指示情報として『停電時２番目にＯＦＦ  あと１つ  ３番目→（０．８ｍ）』と記されている。これにより、操作表示部材５０２の近傍にある電源スイッチを２番目にＯＦＦにすることを示している。したがって、この電源スイッチは、一番目の電源スイッチをＯＦＦする前に、ＯＦＦしないように、操作者に対して注意を喚起しており、未だ、１番目の電源スイッチをＯＦＦしていない場合は、まず、１番目の電源スイッチを探すことを促している。
【００６１】
また、操作表示部材５０２には、操作指示情報として『・・・あと１つ・・・』と記されていることから、操作者は、操作表示部材５０２にしたがって２番目の電源スイッチをオフした時点で、残り１つの電源スイッチを探して、その電源スイッチをオフしなければならないことを把握することができる。
【００６２】
さらに、操作表示部材５０２には、操作指示情報として『・・・３番目↓（０．８ｍ）』と記されていることから、操作者は、つぎに操作すべき３番目の電源スイッチは、この２番目の電源スイッチよりも垂直方向に沿って、下方向にあるということを、容易に把握することができる。さらに、０．８ｍ離れた時点にあるということも同時に把握することができる。操作者は、この操作指示情報を基に、暗闇の中をしゃがむことで、図５Ｃに示した操作表示部材５０３を容易に発見することができる。
【００６３】
図５Ｃにおいて、操作表示部材５０３には、操作指示情報として『停電時３番目にＯＦＦ  ラスト  操作完了』と記されている。これにより、操作表示部材５０３の近傍にある電源スイッチを３番目にＯＦＦにすることを示している。したがって、この電源スイッチは、１番目、２番目の電源スイッチをＯＦＦする前に、ＯＦＦしないように、操作者に対して注意を喚起している。
【００６４】
また、操作表示部材５０３には、操作指示情報として『・・・ラスト  操作完了』と記されていることから、操作者は、この電源スイッチをオフすることによって、一連の操作が完了したことを、容易に把握することができる。したがって、操作者は、停電時における電源スイッチ操作を完了したことを確認し、その後、停電時におけるほかの作業に移行することができる。
【００６５】
このようにして、操作の順序が決められている一連の操作を、その順序を間違えることなく、確実に実行することができる。したがって、予期せぬ停電が突然発生したとしても、また、停電時の操作を熟知していなくても、操作者は、慌てることなく、確実かつ正確に、必要な操作を実行することができ、停電からの復旧時における機器などの障害の発生を防止することができる。
【００６６】
なお、図示は省略するが、図５Ａにおいて、操作表示部材５０１は、操作部（電源スイッチなど）のうち一番最初に操作させる操作部である。したがって、その操作表示部材５０１の基材を、他の操作表示部材（５０２、５０３）の基材と区別可能に発光させるようにしてもよい。
【００６７】
具体的には、たとえば、操作表示部材５０１の基材を構成する蓄光部材の発光色を、他の操作表示部材（５０２、５０３）の基材を構成する蓄光部材の発光色と異なる色とするようにしてもよい。また、発光強度を変えて、操作表示部材５０１の基材を構成する蓄光部材だけを他の操作表示部材（５０２、５０３）の基材を構成する蓄光部材よりも強く発光させるようにしてもよい。
【００６８】
また、具体的には、たとえば、操作表示部材５０１の基材のサイズを、他の操作表示部材（５０２、５０３）と変えて、操作表示部材５０１の基材だけを他の操作表示部材（５０２、５０３）よりも大きくしたり、また、別の形状にするようにしてもよい（より具体的には、操作表示部材５０１の基材だけを丸い形状とするなど）。
【００６９】
さらに、具体的には、たとえば、操作表示部材５０１の操作指示情報の文字、数字、記号および図形の少なくともいずれかのサイズを、他の操作表示部材（５０２、５０３）と変えて、操作表示部材５０１の基材だけを他の操作表示部材（５０２、５０３）よりも大きくしたり、別の形状にするようにしてもよい（より具体的には、たとえば、文字のフォントを変えたり、太文字にしたりするなど）。
【００７０】
このように、一番最初に操作させる操作部（操作表示部材５０１）を別の操作表示部材と区別可能とすることによって、操作部のうち一番最初に操作させる操作部（操作表示部材５０１）を、操作者により容易に発見させることができ、一連の順序を間違えずに、確実に操作を完了することができる。
【００７１】
図６は、この発明にかかる実施の形態の操作表示部材の別の具体例を示す説明図である。図６において、操作表示部材６０１には、操作指示情報として『この部屋は完了  つぎは２階××××室へ』と記されている。これにより、操作者は、この部屋（居室）における停電時の作業が完了したことを把握することができる。また、つぎにおこなうべき居室を確実に把握することができる。したがって、操作者は、停電時に迅速な行動をおこなうことができるので、停電からの復旧時間が短かったとしても、確実に必要な操作をおこなうことができる。
【００７２】
そのほかに、図６に示す操作表示部材６０１のように、停電時におこなうべき操作、対応などを、操作表示部材に示して、操作者に確実に伝達することで、暗闇において、操作者に対して、慌てる（パニックになる）ことなく、冷静な判断・対応ができるようにすることができる。
【００７３】
たとえば、操作表示部材には、図示を省略するが、方位を示す情報を記するようにしてもよい。操作表示部材に記された方位は、居室あるいは建物における操作表示部材の設置位置の方位を示す。具体的には、操作表示部材に記された方位は、操作表示部材が壁などに設けられた状態で、操作表示部材に正対した操作者の前方に位置する方位を示す。
【００７４】
方位を示す情報は、たとえば、ある地点における水平面内の方向を、基準となる方向との関係であらわす情報とすることができる。具体的には、方位は、たとえば、方位間隔をそれぞれ９０°とし、「東」、「西」、「南」、「北」の４方向のいずれかによってあらわすことができる。
【００７５】
あるいは、具体的には、方位は、たとえば、方位間隔をそれぞれ４５°とし、「東」、「西」、「南」、「北」、「北東」、「南東」、「北西」、「南西」の８方向のいずれかによってあらわしてもよい。また、具体的には、方位は、たとえば、方位間隔を２２°３０′とした１６方向や、方位間隔を１１°１５′とした３２方向によって方位を示してもよい。
【００７６】
また、方位を示す情報は、たとえば、決められた水平面内での角度、すなわち方位角によってあらわしてもよい。この場合、北を０°＝３６０°の基準とし、東を９０°、南を１８０°、西を２７０°とする。また、この場合、北東が４５°、南東が１３５°、南西が２２５°、北西が３１５°として表現される。
【００７７】
あるいは、方位を示す情報は、たとえば、天文や測量などで正確な方位を求める際に用いる北２８度東（Ｎ２８Ｅ）・南１５度西（Ｓ１５Ｗ）などの表記であってもよい。また、方位を示す情報は、たとえば、十二支、八卦、あるいは、十干などの方法によって方位を示してもよい。さらに、方位を示す情報は、たとえば、十二支と八卦と十干とを組み合わせた二十四方向によって方位を示してもよい。
【００７８】
以上説明したように、この発明にかかる実施の形態の操作表示部材３００、４００は、操作部２００自体または操作部１０１の近傍に設けられる、シート形状をなす基材３０１、４０１を備えた操作表示部材であって、基材３０１、４０１の表面の全部または一部が蓄光部材３０２、４０２によって構成され、停電時における操作部の必要な操作に関する操作指示情報が、基材に記される。
【００７９】
また、文字、数字、記号および図形の少なくともいずれか一つによって操作指示情報３００、４００を形成していてもよい。また、操作部は、スイッチ（電源スイッチ１０１）であり、操作指示情報は、スイッチのオン操作またはオフ操作の指示に関する情報であってもよく、操作部は、バルブ開閉器（バルブ開閉ハンドル２００）であり、操作指示情報は、バルブ開閉器の開操作または閉操作の指示に関する情報であってもよい。
【００８０】
これにより、突然の停電により、一瞬にして暗闇になったとしても、停電時に操作すべき内容を容易に把握することができ、操作者が、確実かつ正確な操作対応をおこなうことができる。これらの操作を、ライト（懐中電灯）がなくてもおこなうことができる。したがって、懐中電灯が見つからなかったり、故障したりした場合であっても、操作対応を遂行することができる。このように、停電時に特別な電源を用意する必要がなく、きわめて安価で実現でき、メンテナンスも手間もかからない。また、機器などのスイッチ（バルブ）に関する知識がない者であっても、確実に操作を実行することができる。
【００８１】
また、操作指示情報は、操作の順序がある場合に、当該順序に関する指示情報を含めるようにしてもよい。その際、操作部のうち一番最初に操作させる操作部に対応する基材を、他の操作部に対応する基材と区別可能に発光させるようにしてもよい。また、操作指示情報は、つぎの操作部の位置を示す情報を含むようにしてもよい。これにより、操作者が、必要な順序を間違えることなく、確実かつ正確な操作対応をおこなうことができる。
【００８２】
また、操作指示情報は、停電時における操作が必要な操作部の数に関する指示情報であってもよい。これにより、操作者は、必要なすべての操作対応を、一つも忘れることなく確実におこなうことができる。
【産業上の利用可能性】
【００８３】
以上のように、この発明にかかる操作表示部材は、操作部自体または当該操作部の近傍に設けられる、シート形状をなす基材を備えた操作表示部材であり、特に、停電における操作の内容を表示し、操作部の操作を確実にかつ正確におこなうための操作表示部材に適している。
【符号の説明】
【００８４】
１００  電源スイッチパネル
１０１、１０２  電源スイッチ（スイッチ）
１０３（１０３ａ〜１０３ｃ）、２０１（２０１ａ〜２０１ｄ）、３００、４００、５０１〜５０３、６０１  操作表示部材
２００  バルブ開閉ハンドル（バブル開閉器）
３０１、４０１  基材
３０２、４０２  蓄光部材
【図１】
2020136007.tif 000003
【図２】
2020136007.tif 000004
【図３】
2020136007.tif 000005
【図４】
2020136007.tif 000006
【図５Ａ】
2020136007.tif 000007
【図５Ｂ】
2020136007.tif 000008
【図５Ｃ】
2020136007.tif 000009
【図６】
2020136007.tif 000010